(57)【要約】      （修正有）【課題】吊下げ本体の係止部と支持部のアンカー部を、天井や壁等に使用される石膏ボードや薄いベニヤ等の孔に保持具（ストッパー部）を持って挿入し、下方に吊下げ本体を引き下げることにより孔に係止・固定し、物品等を吊り下げることができる吊下げ支持具を提供する。【解決手段】折曲可能な線状の吊下げ本体２の先端部に係止部３を形設し、この係止部３より下方に伸びたアンカー部４ａを形成する支持体４を設けると共に、吊下げ本体２と支持体４を一定位置に保持する保持具５を設け、支持体４の下端４ｂを保持具５に固定してなる。【選択図】図１
0003199340.tif 000002
【実用新案登録請求の範囲】
【請求項１】
折曲可能な線状の吊下げ本体の先端部に係止部を形設し、この係止部より下方に伸びたアンカー部を形成する支持体を設けると共に、吊下げ本体と支持体を一定位置に保持する保持具を設け、支持体の下端を保持具に固定してなることを特徴とする吊下げ支持具。
【請求項２】
吊下げ本体の軸線上で、保持具の下端面付近にストッパー部を設けたことを特徴とする請求項１記載の吊下げ支持具。
【請求項３】
保持具が、リング状であることを特徴とする請求項１又は２記載の吊下げ支持具。
【請求項４】
アンカー部を、輪状に形成することを特徴とする請求項１、２又は３記載の吊下げ支持具。
【請求項５】
吊下げ本体及び支持体をワイヤーロープあるいは針金とすることを特徴とする請求項１、２、３又は４記載の吊下げ支持具。
【考案の詳細な説明】
【技術分野】
【０００１】  本考案は、主に石膏ボードや薄いベニヤ等の孔に、取り付け、取り外しができる物品等を吊り下げる吊下げ支持具に関するものである。【０００２】  従来の技術として、天井等の被固定材に差し込むための差込み用ピンと、その被固定材に当接する当接部を形成した本体とを有し、上記被固定材に掲示物を吊り下げるための吊下げ具であって、上記本体には、この本体を被固定材に位置決めするための複数本の位置決め用ピンの各基端部が当設部内に埋設されているとともに、当設部に対して差込み用ピンを傾斜させ、かつ、その被固定材に差し込み可能に保持するピン保持部が形成されていることを特徴とする吊下げ具がある。（特許文献１参照）【０００３】  また、別の従来技術として、石膏ボード等に直接打ち込むべく、ピン本体に挿入孔を設けたピンと、該挿入孔に取り付ける火元からなることを特徴とする吊下具がある。（特許文献２参照）【０００４】  さらに、別の従来技術として、折曲可能な線状の吊下げ本体の先端部に係止部を形設し、この係止部より下方に伸びたアンカー部を形成する支持体を設けると共に、吊下げ本体と支持体を一定位置に保持する保持具を設けてなることを特徴とする吊下げ保持具がある。（特許文献３参照）。
【先行技術文献】
【特許文献】
【０００５】
【特許文献１】特開２００９−７４５９７号公報
【特許文献２】特開２００５−８３５６９号公報
【特許文献３】特開２０１１−２２６６２７号公報
【考案の概要】
【考案が解決しようとする課題】
【０００６】  上記前者のものは、天井等の被固定材に対して、位置決め用ピンと差込み用ピンにて固定するもので、同位置に取り付けたり取り外し足りすることができず、不使用時には邪魔になることもある。【０００７】  上記中者のものは、本発明者が以前出願してなるもので、石膏ボード等に直接打ち込んで物品等を吊り下げることには有効であるが、取り付け取り外して使用する場合には不向きなものである。【０００８】  上記後者のものも、本発明者が以前出願しているもので、不安定なストッパー部４６を持って取り付け、取り外しを調整しなければならず、やりにくい面があった。【０００９】  本考案は、このような従来の構成が有していた問題を解決しようとするもので、吊下げ本体の係止部と支持部のアンカー部を、天井や壁等に使用される石膏ボードや薄いベニヤ等の孔に保持具（ストッパー部）を持って挿入し、下方に吊下げ本体を引き下げることにより孔に係止・固定し、物品等を吊り下げることができる吊下げ支持具を提供することを目的とするものである。
【課題を解決するための手段】
【００１０】  本考案は、上記目的を達成するために、折曲可能な線状の吊下げ本体の先端部に係止部を形設し、この係止部より下方に伸びたアンカー部を形成する支持体を設けると共に、吊下げ本体と支持体を一定位置に保持する保持具を設け、支持体の下端を保持具に固定してなること。吊下げ本体の軸線上で、保持具の下端面付近にストッパー部を設けたこと。保持具が、リング状であること。アンカー部を、輪状に形成すること。吊下げ本体及び支持体をワイヤーロープあるいは針金とすること。
【考案の効果】
【００１１】１）吊下げ本体の係止部と、下端を保持具に固定した支持体のアンカー部を天井（壁）の    石膏ボードや薄いベニヤ等の孔に保持具を持って差し込むことにより、簡単・容易に    挿入することができる。
２）保持具を押えて吊下げ本体を引き下げることにより、簡単・確実にアンカー部を輪状    に形成できる。
３）吊下げ本体の軸線上で、保持具の下面付近にストッパー部を設けることにより、スト    ッパー部を押え保持具の下面に当てた状態で、係止部が垂直な状態になり、より簡単    ・確実に石膏ボード等の孔に挿入することができる。
４）アンカー部を輪状に形成することにより、アンカー効果を高めてなる。
５）吊下げ本体及び支持体をワイヤーロープあるいは針金とすることにより軽量の物品で    あれば、吊下げることができる。
６）吊下げ支持具を取り外す場合は、吊下げ本体を上方に移動させ、係止部が垂直な状態    になった時点で、保持具と吊下げ本体を持って下方へ引き抜く。
７）ストッパー部を使って、吊下げ支持具を取り外す場合、ストッパー部を保持具の下面    に当接した状態（係止部が垂直方向）で、保持具を持って下方に引っ張れば簡単に引    き抜ける。
【図面の簡単な説明】
【００１２】
【図１】  本考案の第１実施例を示す吊下げ支持具の斜視図。
【図２】  本考案の第１実施例を示す吊下げ支持具の使用状態流れ図。
【図３】  本考案の第２実施例を示す吊下げ支持具の斜視図。
【図４】  本考案の第２実施例を示す吊下げ支持具の使用状態流れ図。
【考案を実施するための形態】
【００１３】  吊下げ支持具１は、折曲可能な線状のワイヤーロープあるいは針金による吊下げ本体２の先端部に、半田付け等にて固着した係止部３を形設し、この係止部３に連結した下方に伸びた同様な材質のアンカー部４ａを形成する支持体４を設けると共に、吊下げ本体２と支持体４を一定位置に保持するリング状の保持具５を設け、支持体４の下端４ｂを保持具５の通孔５ａ内に固定してある。（図１参照）
【００１４】  前記のように構成した吊下げ支持具１の使用例について説明する。
例えば、建物の天井Ｔ（石膏ボード等）に小径の孔Ｎをドリル（図示せず）等にて明け  る。（図２ａ参照）
その後、吊下げ支持具１を係止部３より挿入し、天井Ｔの下面に保持具５を当接する。（図２ｂ参照）
この状態で、保持具５を指（図示せず）で軽く押え、吊下げ本体２を引き下げることにより、天井Ｔの孔Ｎの上部に係止部３を係止・固定すると共に、支持体４のアンカー部４ａを形成させることにより、アンカー効果を高め、吊下げ本体２の下部に物品（図示せず）を吊下げることができる。（図２ｃ参照）
【００１５】  なお、図２ｃの状態から、吊下げ支持具１を取り外す場合は、吊下げ本体２を上方に押し上げ、係止部３を垂直（図２ｂ）にして指（図示せず）で保持具５と吊下げ本体２を掴んで引き下げることにより外れる。
【００１６】  つぎに、吊下げ支持具２１を説明する。
この吊下げ支持具２１は、前記と同様な吊下げ本体２２・係止部２３・支持体２４・アンカー部２４ａ・支持体の下端２４ｂ・保持具２５を設けてなると共に、吊下げ本体２２の軸線上で、保持具２５の下端面付近に、円盤状のストッパー部６を設けてある。（図３参照）
なお、ストッパー部６を保持具２５の下面に当接した状態で、係止部２３は真っすぐ（垂直）になっている。（天井Ｔ内に入り込んでいる吊下げ本体２２ａとアンカー部２４ａ    の長さが同一となる。）：；
【００１７】  前記の吊下げ支持具２１の使用例について説明する。
前記と同様な小径の孔Ｎに、ストッパー部６を保持具２５の下面に当接した状態で保持具２５を指（図示せず）で持って挿入する。（図４ａ・ｂ参照）
この状態で、他方の指（図示せず）でストッパー部６を掴んで吊下げ本体２２を下方に引き下げることにより、天井Ｔの孔Ｎの上部に係止部３３を係止・固定することができる。（他は前記吊下げ支持具１と同じ）
【００１８】  吊下げ支持具２１を取り外す場合は、図４ｃの状態から、ストッパー部６を指（図示せず）で掴み、吊下げ本体２２を上方に押し上げ、保持具２５の下面に当接した時点（図４ｂ参照）で、保持具２５を指（図示せず）で掴んで引き下げるものである。
【００１９】  前記各実施例において、材質・長さ・大きさ等、特に限定するものではなく、必要に小おじて決めればよい。
また、係止部を少し延長して、二又状に設けてもよい。
【産業上の利用分野】
【００２０】  基本的には、建物の天井や壁等に使用し、物品等を吊下げる分野のもので、常設用でも仮設用でも可能であり、用途は広い。
【符号の説明】
【００２１】  １―――吊下げ支持具
２―――吊下げ本体
３―――係止部
４―――支持体
４ａ――アンカー部
５―――保持具
６―――ストッパー部
Ｔ―――天井
Ｎ―――孔
【図１】
0003199340.tif 000003
【図２】
0003199340.tif 000004
0003199340.tif 000005
【図３】
0003199340.tif 000006
【図４】
0003199340.tif 000007
0003199340.tif 000008
0003199340.tif 000009
【手続補正書】
【提出日】平成27年6月26日(2015.6.26)
【手続補正１】
【補正対象書類名】図面
【補正対象項目名】全図
【補正方法】変更
【補正の内容】
【図１】
0003199340.tif 000010
【図２】
0003199340.tif 000011
【図３】
0003199340.tif 000012
【図４】
0003199340.tif 000013
【図５】
0003199340.tif 000014
【図６】
0003199340.tif 000015
【図７】
0003199340.tif 000016
【手続補正２】
【補正対象書類名】明細書
【補正対象項目名】００１２
【補正方法】変更
【補正の内容】
【００１２】
【図１】  本考案の第１実施例を示す吊下げ支持具の正面図。
【図２】  本考案の第１実施例を示す吊下げ支持具の取付第１工程図。
【図３】  本考案の第１実施例を示す吊下げ支持具の取付第２工程図。
【図４】  本考案の第２実施例を示す吊下げ支持具の正面図。
【図５】  本考案の第２実施例を示す吊下げ支持具の取付第１工程図。
【図６】  本考案の第２実施例を示す吊下げ支持具の取付第２工程図。
【図７】  本考案の第２実施例を示す吊下げ支持具の取付第３工程図。